(57)【要約】【課題】開状態から閉状態への遷移中におけるタッチ入力の誤検出を抑制するための技術を提供する。【解決手段】撮像装置は、本体部と、前記本体部に対して開閉可能に構成されたモニタ部であって、表示部、および、前記表示部の表示面に対するタッチ操作を検出する静電容量式のタッチ検出部、を有するモニタ部と、前記本体部に対する前記モニタ部の位置を示す信号を出力する信号出力部と、制御部と、を有する。前記制御部は、前記信号出力部から出力される信号が開信号から閉信号に変化し、その後、前記開信号を取得することなく第１期間が経過した場合に、前記表示部を非表示状態とするよう制御するとともに、前記信号出力部から出力される信号が、前記開信号から前記閉信号に変化した場合に、前記第１期間の経過を待つことなく、前記表示部に対するタッチ操作を無効とするよう制御する。【選択図】図３
2019046146.tif 000002
【特許請求の範囲】
【請求項１】
本体部と、
前記本体部に対して開閉可能に構成されたモニタ部であって、表示部、および、前記表示部の表示面に対するタッチ操作を検出する静電容量式のタッチ検出部、を有するモニタ部と、
前記本体部に対する前記モニタ部の位置を示す信号を出力する信号出力部と、
制御部と、
を有し、
前記制御部は、
前記信号出力部から出力される信号が、前記モニタ部の位置が前記本体部に対して開かれた位置である開位置を示す開信号から、前記モニタ部の位置が前記表示部の前記表示面が前記本体部に対向して閉じられた位置である閉位置を示す閉信号に変化し、その後、前記開信号を取得することなく第１期間が経過した場合に、前記表示部を非表示状態とするよう制御するとともに、
前記信号出力部から出力される信号が、前記開信号から前記閉信号に変化した場合に、前記第１期間の経過を待つことなく、前記表示部に対するタッチ操作を無効とするよう制御する、
ことを特徴とする電子機器。
【請求項２】
前記制御部は、
前記表示部が非表示状態でかつタッチ操作が無効である状態のときに、前記信号出力部から出力される信号が、前記閉信号から前記開信号に変化し、その後、前記閉信号を取得することなく第２期間が経過した場合に、前記表示部の表示を開始するとともに前記表示部に対するタッチ操作を有効とするよう制御する、
ことを特徴とする請求項１に記載の電子機器。
【請求項３】
前記制御部は、
前記表示部が表示状態でかつタッチ操作が無効である状態のときに、前記信号出力部から出力される信号が、前記閉信号から前記開信号に変化した場合に、前記第２期間の経過を待つことなく、前記表示部に対するタッチ操作を有効とするよう制御する、
ことを特徴とする請求項２に記載の電子機器。
【請求項４】
前記制御部は、
タッチの開始に応じた機能の実行が可能な第１の画面が前記表示部に表示されている場合には、前記信号出力部から出力される信号が、前記開信号から前記閉信号に変化した場合に、前記第１期間の経過を待つことなく、前記表示部に対するタッチ操作を無効とするよう制御し、
タッチの開始に応じた機能の実行がされない第２の画面が前記表示部に表示されている場合には、前記信号出力部から出力される信号が、前記開信号から前記閉信号に変化し、その後、前記開信号を取得することなく前記第１期間が経過した場合に、前記表示部に対するタッチ操作を無効とするよう制御する、
ことを特徴とする請求項１〜３のいずれか１項に記載の電子機器。
【請求項５】
前記本体部の筐体が導電性を有する材料で形成されている、
ことを特徴とする請求項１〜４のいずれか１項に記載の電子機器。
【請求項６】
前記信号出力部は、前記モニタ部が前記開位置にある場合に前記開信号を出力し、前記モニタ部が前記閉位置にある場合に前記閉信号を出力する、スイッチである
ことを特徴とする請求項１〜５のいずれか１項に記載の電子機器。
【請求項７】
前記スイッチは、前記モニタ部を前記開位置にしたとき押下状態となり、前記モニタ部を前記閉位置にしたとき解除状態となる、スイッチである
ことを特徴とする請求項６に記載の電子機器。
【請求項８】
本体部と、
前記本体部に対して開閉可能に構成されたモニタ部であって、表示部、および、前記表示部の表示面に対するタッチ操作を検出する静電容量式のタッチ検出部、を有するモニタ部と、
前記本体部に対する前記モニタ部の位置を示す信号を出力する信号出力部と、を有する電子機器の制御方法であって、
前記信号出力部から出力される信号を取得するステップと、
前記信号出力部から出力される信号が、前記モニタ部の位置が前記本体部に対して開かれた位置である開位置を示す開信号から、前記モニタ部の位置が前記表示部の前記表示面が前記本体部に対向して閉じられた位置である閉位置を示す閉信号に変化し、その後、前記開信号を取得することなく第１期間が経過した場合に、前記表示部を非表示状態とするよう制御するステップと、
前記信号出力部から出力される信号が、前記開信号から前記閉信号に変化した場合に、前記第１期間の経過を待つことなく、前記表示部に対するタッチ操作を無効とするよう制御するステップと、
を含むことを特徴とする電子機器の制御方法。
【請求項９】
請求項８に記載された電子機器の制御方法の各ステップをコンピュータに実行させるためのプログラム。
【請求項１０】
請求項８に記載された電子機器の制御方法の各ステップをコンピュータに実行させるためのプログラムを格納したコンピュータが読み取り可能な記憶媒体。
【発明の詳細な説明】
【技術分野】
【０００１】
本発明は、電子機器およびその制御方法に関する。
【背景技術】
【０００２】
表示パネルの表示面にタッチパネルを配置したタッチパネルディスプレイ（以下「表示操作パネル」と呼ぶ）をヒンジ機構を介して機器本体に接続し、表示操作パネルを機器本体に対し開閉自在とした構造が知られている。このような構造は、例えば、デジタルカメラ、デジタルビデオカメラ、ゲーム機器、モバイル端末など、多くの電子機器に採用されている。表示操作パネルは、例えば、表示面を機器本体に密着させるように表示操作パネルを閉じた状態（閉状態）、表示面が見えるように表示操作パネルを機器本体から離した状態（開状態）など、複数の使用形態をとり得る。このような電子機器において、表示操作パネルが閉状態か開状態かを検知するセンサを設け、閉状態と開状態とで表示操作パネルの動作を切り替える制御を行う構成が知られている。
【０００３】
特許文献１には、液晶表示パネルを２軸ヒンジ機構によりカメラ本体に開閉自在に接続した構造のカメラが開示されている。特許文献１には、可動部に磁石を、カメラ本体側の対応する位置にホール素子を、それぞれ配置し、ホール素子の出力により液晶表示パネルの開閉を検出する技術が記載されている。
【先行技術文献】
【特許文献】
【０００４】
【特許文献１】特開２０１２−０１９２７９号公報
【発明の概要】
【発明が解決しようとする課題】
【０００５】
電子機器の表示操作パネルには、マルチタッチが可能であるなどの利点から、静電容量式のタッチパネルが用いられることが多い。一方、電子機器の筐体（外装）の材料としては、静電気対策などの機能性の観点や意匠性の観点から、カーボンなどの導電性を有する材料が採用されることがある。
【０００６】
しかしながら、従来、上述した開閉構造をもつ電子機器においては、静電容量式のタッチパネルと導電性材料で形成された機器本体とを組み合わせることは避けられていた。その理由は、表示操作パネルを閉じる際に、タッチパネルが機器本体に近づくとタッチパネルの静電容量が変化し、タッチ入力がされたと誤検出されてしまう可能性があるからである。つまり、表示操作パネルが完全に閉じる前（開状態から閉状態への遷移中）にユーザーの意図しないタッチ入力が発生し、電子機器が誤動作してしまう可能性があるのである。
【０００７】
本発明は、上記実情に鑑みなされたものであり、開状態から閉状態への遷移中におけるタッチ入力の誤検出を抑制するための技術を提供することを目的とする。
【課題を解決するための手段】
【０００８】
本発明の第一態様は、本体部と、前記本体部に対して開閉可能に構成されたモニタ部であって、表示部、および、前記表示部の表示面に対するタッチ操作を検出する静電容量式のタッチ検出部、を有するモニタ部と、前記本体部に対する前記モニタ部の位置を示す信号を出力する信号出力部と、制御部と、を有し、前記制御部は、前記信号出力部から出力される信号が、前記モニタ部の位置が前記本体部に対して開かれた位置である開位置を示
す開信号から、前記モニタ部の位置が前記表示部の前記表示面が前記本体部に対向して閉じられた位置である閉位置を示す閉信号に変化し、その後、前記開信号を取得することなく第１期間が経過した場合に、前記表示部を非表示状態とするよう制御するとともに、前記信号出力部から出力される信号が、前記開信号から前記閉信号に変化した場合に、前記第１期間の経過を待つことなく、前記表示部に対するタッチ操作を無効とするよう制御する、ことを特徴とする電子機器を提供する。
【発明の効果】
【０００９】
本発明によれば、開状態から閉状態への遷移中におけるタッチ入力の誤検出を抑制することができる。
【図面の簡単な説明】
【００１０】
【図１】実施例１のデジタルビデオカメラの外観を示す斜視図。
【図２】実施例１のデジタルビデオカメラの内部構成の概略を示す図。
【図３】実施例１の開状態から閉状態への遷移時の制御を示す図。
【図４】実施例１の開状態から閉状態への遷移時の制御を示すフローチャート。
【図５】実施例１の閉状態から開状態への遷移時の制御を示す図。
【図６】実施例１の閉状態から開状態への遷移時の制御を示すフローチャート。
【図７】実施例２のデジタルビデオカメラの表示画面の例。
【図８】実施例２の制御を示すフローチャート。
【発明を実施するための形態】
【００１１】
以下、図面を参照して、本発明の好ましい実施例について具体的に説明する。本発明は、装置本体（本体部）に対して開閉可能な構造をもつ表示操作パネル（タッチパネルディスプレイ）を有する電子機器に関し、特に、表示操作パネルの開閉時におけるタッチ入力の誤検出を抑制するための制御に関するものである。以下では、本発明の実施例として、本発明に係る技術をデジタルビデオカメラに適用した例を示す。ただし、本発明の構成および適用範囲は以下の実施例に限られず、表示操作パネルの開閉構造を有する電子機器であればいかなる種類の機器にも好ましく適用することができる。
【００１２】
＜実施例１＞
（電子機器の構成）
図１Ａおよび図１Ｂは、実施例１に係るデジタルビデオカメラ１００の外観を示す斜視図である。デジタルビデオカメラ１００は、概略、本体部１０１と、バリアングルモニタ部１０２と、を有する。バリアングルモニタ部１０２には、表示操作パネル１０４が設けられている。表示操作パネル１０４は、表示部２８と、表示部２８の表示面に取り付けられたタッチパネル７１とから構成される。表示部２８は、例えばＬＣＤ（液晶ディスプレイ）またはＯＬＥＤ（有機ＥＬディスプレイ）で構成される表示デバイスであり、タッチパネル７１は静電容量式のタッチセンサ（タッチ検出部）である。
【００１３】
バリアングルモニタ部１０２は、２軸ヒンジ機構１０３により本体部１０１に接続され、矢印Ｙ１の方向の開閉と矢印Ｙ２の方向の回転が可能な構造を有する。このような構造により、バリアングルモニタ部１０２はユーザの使用シーンに応じてさまざまな使用形態をとり得る。例えば図１Ａは、表示部２８の表示面が見えるように、バリアングルモニタ部１０２が本体部１０１に対して開かれた状態を示している。本明細書では、図１Ａに示す使用状態を「開状態」といい、図１Ａに示すバリアングルモニタ部１０２の位置を「開位置」という。例えば表示部２８のライブビュー画像を見ながら撮影を行う場合や、撮影した画像を表示部２８で再生する場合には、開状態が好適である。また図１Ｂは、表示部２８の表示面が本体部１０１に対向するようにバリアングルモニタ部１０２が閉じられた状態を示している。本明細書では、図１Ｂに示す状態を「閉状態」といい、図１Ｂに示す
バリアングルモニタ部１０２の位置を「閉位置」という。例えばファインダーを覗きながら撮影する場合などには、閉状態が好適である。
【００１４】
図２は、デジタルビデオカメラ１００の内部構成の概略を示すブロック図である。図２において、撮影レンズ２１はズームレンズ、フォーカスレンズを含むレンズ群である。シャッター２５は絞り機能を備えるシャッターである。撮像部２２は光学像を電気信号に変換するＣＣＤやＣＭＯＳ素子等で構成される撮像素子である。Ａ／Ｄ変換器２３は、アナログ信号をデジタル信号に変換する。Ａ／Ｄ変換器２３は、撮像部２２から出力されるアナログ信号をデジタル信号に変換するために用いられる。バリア２０は、撮像系（撮影レンズ２１、シャッター２５、撮像部２２など）を覆い、撮像系の汚れや破損を防止する。
【００１５】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００１６】
Ａ／Ｄ変換器２３からの出力データは、画像処理部２４及びメモリ制御部１５を介して、或いは、メモリ制御部１５を介してメモリ３２に直接書き込まれる。メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。
【００１７】
また、メモリ３２は画像表示用のメモリ（ビデオメモリ）を兼ねている。Ｄ／Ａ変換器１３は、メモリ３２に格納されている画像表示用のデータをアナログ信号に変換して表示部２８に供給する。こうして、メモリ３２に書き込まれた表示用の画像データはＤ／Ａ変換器１３を介して表示部２８により表示される。表示部２８は、Ｄ／Ａ変換器１３からのアナログ信号に応じた表示を行う。Ａ／Ｄ変換器２３によって一度Ａ／Ｄ変換されメモリ３２に蓄積されたデジタル信号をＤ／Ａ変換器１３においてアナログ変換し、表示部２８に逐次転送して表示することで、表示部２８にてスルー画像表示（ライブビュー表示）を行える。
【００１８】
不揮発性メモリ５６は、電気的に消去・記録可能なメモリであり、例えばＥＥＰＲＯＭ等が用いられる。不揮発性メモリ５６には、システム制御部５０の動作用の定数、プログラム等が記憶される。ここでいう、プログラムとは、本実施例にて後述する各種フローチャートを実行するためのプログラムのことである。
【００１９】
システム制御部５０は、デジタルビデオカメラ１００全体を制御する。システム制御部５０は、例えばＣＰＵ（プロセッサ）により構成される。システムメモリ５２はＲＡＭであり、システム制御部５０の動作用の定数、変数、不揮発性メモリ５６から読み出したプログラム等が展開されるワークメモリとして用いられる。システム制御部５０が、不揮発性メモリ５６に記録されたプログラムをシステムメモリ５２に展開し、当該プログラムを実行することにより、後述するデジタルビデオカメラ１００の各処理が実現される。また、システム制御部５０はメモリ３２、Ｄ／Ａ変換器１３、表示部２８等を制御することにより表示制御も行う。システムタイマー５３は各種制御に用いる時間や、内蔵された時計の時間を計測する計時部である。
【００２０】
モード切替スイッチ６０、ＳＴＡＲＴ／ＳＴＯＰスイッチ６１、操作部７０はシステム制御部５０に各種の動作指示を入力するための操作手段である。
【００２１】
モード切替スイッチ６０は、システム制御部５０の動作モードを静止画記録モード、動画記録モード、再生モード等のいずれかに切り替える。静止画記録モードに含まれるモードとして、オート撮影モード、オートシーン判別モード、マニュアルモード、撮影シーン別の撮影設定となる各種シーンモード、プログラムＡＥモード、カスタムモード等がある。モード切り替えスイッチ６０で、静止画撮影モードに含まれるこれらのモードのいずれかに直接切り替えられる。あるいは、モード切り替えスイッチ６０で静止画撮影モードに一旦切り換えた後に、静止画撮影モードに含まれるこれらのモードのいずれかに、他の操作部材を用いて切り替えられるようにしてもよい。同様に、動画撮影モードにも複数のモードが含まれていてもよい。
【００２２】
ＳＴＡＲＴ／ＳＴＯＰスイッチ６１は、動画記録モードであれば、動画記録の開始・停止、静止画記録モードであれば、静止画記録開始を行うためのスイッチである。システム制御部５０は、ＳＴＡＲＴ／ＳＴＯＰスイッチ６１が押されたことを検出すると、撮像部２２からの信号読み出しから記録媒体９０に画像データを書き込むまでの一連の撮影処理の動作を開始する。
【００２３】
操作部７０は複数の操作部材（例えばボタン、ダイヤルなど）を有する。各操作部材は、表示部２８に表示される種々の機能アイコンを選択操作することなどにより、場面ごとに適宜機能が割り当てられ、各種機能ボタンとして動作する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部２８に表示される。利用者は、表示部２８に表示されたメニュー画面と、上下左右の４方向ボタンやＳＥＴボタンとを用いて直感的に各種設定を行うことができる。また、操作部７０の操作部材として、タッチパネル７１を介して操作を行う操作ボタンの表示・非表示を切り替える表示切替ボタンを有する。表示切替ボタンを押すことで、操作ボタンの表示と非表示を切り替えることが可能である。
【００２４】
操作部７０と並び、デジタルビデオカメラ１００の入力部として、表示部２８に対する接触を検知可能なタッチパネル７１を有する。タッチパネル７１は表示部２８の表示面に取り付けられ、タッチパネル７１における入力座標と、表示部２８の表示面上の表示座標とがあらかじめ対応付けられている。これにより、ユーザが表示部２８上に表示された画面を直接的に操作可能であるかのようなＧＵＩを構成することができる。
【００２５】
システム制御部５０はタッチパネル７１への以下のタッチ操作、あるいは状態を検出できる。
・タッチパネル７１にタッチしていなかった指やペンが新たにタッチパネル７１にタッチしたこと。すなわち、タッチの開始（以下、タッチダウン（Ｔｏｕｃｈ−Ｄｏｗｎ）と称する）。
・タッチパネル７１を指やペンでタッチしている状態であること（以下、タッチオン（Ｔｏｕｃｈ−Ｏｎ）と称する）。
・タッチパネル７１を指やペンでタッチしたまま移動していること（以下、タッチムーブ（Ｔｏｕｃｈ−Ｍｏｖｅ）と称する）。
・タッチパネル７１へタッチしていた指やペンを離したこと。すなわち、タッチの終了（以下、タッチアップ（Ｔｏｕｃｈ−Ｕｐ）と称する）。
・タッチパネル７１に何もタッチしていない状態（以下、タッチオフ（Ｔｏｕｃｈ−Ｏｆｆ）と称する）。
【００２６】
タッチダウンが検出されると、同時にタッチオンであることも検出される。タッチダウンの後、タッチアップが検出されない限りは、通常はタッチオンが検出され続ける。タッチムーブが検出されるのもタッチオンが検出されている状態である。タッチオンが検出されていても、タッチ位置が移動していなければタッチムーブは検出されない。タッチしていた全ての指やペンがタッチアップしたことが検出された後は、タッチオフとなる。
【００２７】
これらの操作・状態や、タッチパネル７１上に指やペンがタッチしている位置座標は内部バスを通じてシステム制御部５０に通知される。システム制御部５０は通知された情報に基づいてタッチパネル７１上にどのような操作（タッチ操作）が行なわれたかを判定する。タッチムーブについてはタッチパネル７１上で移動する指やペンの移動方向についても、位置座標の変化に基づいて、タッチパネル７１上の垂直成分・水平成分毎に判定できる。所定距離以上をタッチムーブしたことが検出された場合はスライド操作が行なわれたと判定するものとする。タッチパネル７１上に指をタッチしたままある程度の距離だけ素早く動かして、そのまま離すといった操作をフリックと呼ぶ。フリックは、言い換えればタッチパネル７１上を指ではじくように素早くなぞる操作である。所定距離以上を、所定速度以上でタッチムーブしたことが検出され、そのままタッチアップが検出されるとフリックが行なわれたと判定できる（スライド操作に続いてフリックがあったものと判定できる）。更に、複数箇所（例えば２点）を同時にタッチして、互いのタッチ位置を近づけるタッチ操作をピンチイン、互いのタッチ位置を遠ざけるタッチ操作をピンチアウトと称する。ピンチアウトとピンチインを総称してピンチ操作（あるいは単にピンチ）と称する。
【００２８】
リモート端子７３は、外部装置からの制御を可能にする端子である。システム制御部５０は、外部装置からのコマンドを受信し、デジタルビデオカメラ１００を制御することができる。例えば、システム制御部５０は、リモート端子７３から操作ボタンの表示・非表示を切り替えるコマンドを受信すると、操作ボタンの表示と非表示との切替制御を行う。
【００２９】
角度検出部４０は、バリアングルモニタ部１０２を支持する２軸ヒンジ機構１０３に設けられ、本体部１０１に対するバリアングルモニタ部１０２の位置（開度）を示す信号を出力する信号出力部である。本実施例では、バリアングルモニタ部１０２を図１Ａのように開位置にしたときに押下状態となり、図１Ｂのように閉位置にしたときに解除状態となる、物理的なスイッチにより角度検出部４０が構成される。角度検出部４０の出力信号（スイッチの出力信号）により、バリアングルモニタ部１０２が開状態であるか閉状態であるかを判断することができる。なお、角度検出部４０としては、光学的なスイッチなど他の方式のスイッチを用いてもよい。
【００３０】
電源制御部８０は、電池検出回路、ＤＣ−ＤＣコンバータ、通電するブロックを切り替えるスイッチ回路等により構成される。電源制御部８０は、電池の装着の有無、電池の種類の判別、電池残量の検出を行う。また、電源制御部８０は、その検出結果及びシステム制御部５０の指示に基づいてＤＣ−ＤＣコンバータを制御し、必要な電圧を必要な期間、記録媒体９０を含む各部へ供給する。また、電源制御部８０は、充電回路を含み、システム制御部５０の指示に基づいて、電源部３０へ電力を供給し、バッテリの充電を行う。電源部３０は、バッテリ、ＡＣアダプター等からなる。記録媒体Ｉ/Ｆ１８は、記録媒体９０とのインターフェースである。記録媒体９０は、撮影された画像データを格納するための記録媒体であり、例えば半導体メモリや磁気ディスク等から構成される。
【００３１】
デジタルビデオカメラ１００の本体部１０１の筐体（外装）は、導電性を有する材料（例えばカーボンを含む材料）で形成されている。導電性を有する材料で本体部１０１を覆うことで、静電気対策をとることができる。
【００３２】
ところで、本実施例のように導電性を有する材料で筐体を形成した場合には、次のよう
な問題が生じる可能性がある。すなわち、バリアングルモニタ部１０２を開位置から閉位置へ移動させる途中で、本体部１０１の筐体側面（閉状態のときに表示面に対向する面）がタッチパネル７１に近づくと、静電容量の変化が起き、タッチ入力があったと誤検出されることがある。これはユーザーの意図しないタッチ入力であるため、デジタルビデオカメラ１００の誤動作の原因となる。
【００３３】
（開状態から閉状態への遷移時の制御）
図３は、デジタルビデオカメラ１００のバリアングルモニタ部１０２を、開状態から閉状態へ遷移した場合の、表示部２８の表示／非表示制御、および、タッチパネル７１のタッチ操作の有効／無効制御のタイミングを模式的に示した図である。
【００３４】
符号３０３は、バリアングルモニタ部１０２が開状態から閉状態へ遷移した場合に、角度検出部４０から出力される信号（つまりスイッチの状態）の変化を示す。バリアングルモニタ部１０２が開位置にある場合、出力信号はＨｉレベルの信号（開信号）となり、閉位置にある場合、出力信号はＬｏｗレベルの信号（閉信号）となる。本実施例の角度検出部４０はスイッチであるため、開状態から閉状態への変化の過程にて符号３０９に示すようにチャタリングが発生する。
【００３５】
符号３０４は、表示部２８の出力のＯＮ／ＯＦＦ状態の変化を示している。システム制御部５０は、角度検出部４０の出力信号がＨｉであれば、表示出力をＯＮ、出力信号がＬｏｗであれば、表示出力をＯＦＦとする。ただし、開状態から閉状態への遷移時にチャタリング３０９が発生するため、システム制御部５０は、出力信号がＨｉからＬｏｗになっても直ぐには表示出力をＯＦＦにせず、Ｌｏｗの状態が第１期間３０６以上経過した後に表示出力をＯＦＦに切り替える。このような制御により、白矢印で示す期間３０７のあいだ表示出力はＯＮのまま維持される。この期間３０７が、いわゆるチャタどり期間（チャタリング対策期間）である。チャタどり期間３０７を設けるのは、スイッチのチャタリングの影響で表示出力のＯＮ、ＯＦＦが素早く切り替わり表示品位が低下することを防ぐためである。
【００３６】
符号３０５は、タッチパネル７１のタッチ入力の有効／無効の変化を示している。システム制御部５０は、角度検出部４０の出力信号がＨｉであれば、タッチ入力を有効とし、出力信号がＬｏｗであれば、タッチ入力を無効とする。ここで、タッチ入力の有効／無効制御では、チャタ取り期間を設けない。すなわち、出力信号がＨｉからＬｏｗに変化した場合に、システム制御部５０は、第１期間３０６の経過を待つことなく、直ちにタッチ入力を無効化する。したがって、開状態から閉状態への遷移時にタッチパネル７１が本体部１０１の導電性筐体に近接したとしても、タッチ入力が無効化されているため、タッチ入力の誤検出の発生を防止することができる。
【００３７】
図４は、デジタルビデオカメラ１００のバリアングルモニタ部１０２を、開状態から閉状態へ遷移した場合の、表示部２８の表示／非表示制御、および、タッチパネル７１のタッチ操作の有効／無効制御のフローチャートである。デジタルビデオカメラ１００の表示部２８が表示状態であり、かつ、タッチパネル７１へのタッチ操作が有効である状態で、図４の処理が開始される。
【００３８】
ステップＳ４０１では、システム制御部５０は表示部２８の出力のＯＮ制御を管理するためのＨｉカウンタ（開信号カウンタ）を０に初期化する。処理が完了すればステップＳ４０２へ進む。ステップＳ４０２では、システム制御部５０は表示部２８の出力のＯＦＦ制御を管理するためのＬｏｗカウンタ（閉信号カウンタ）を０に初期化する。処理が完了すればステップＳ４０３へ進む。
【００３９】
ステップＳ４０３では、システム制御部５０は角度検出部４０から出力される信号を取得する。処理が完了すればステップＳ４０４へ進む。ステップＳ４０４では、システム制御部５０はステップＳ４０３で取得した出力信号がＨｉであるかＬｏｗであるかを判断する。
【００４０】
出力信号がＨｉであれば、システム制御部５０はバリアングルモニタ部１０２が開状態と判断し、ステップＳ４０５へ進む。ステップＳ４０５では、システム制御部５０はタッチ入力が有効なモードに設定し、タッチ入力があった場合に、タッチ入力に応じた処理を行う。処理が完了すれば、ステップＳ４０６へ進む。ステップＳ４０６では、システム制御部５０はＨｉカウンタをインクリメントする。ステップＳ４０７では、システム制御部５０はＬｏｗカウンタを０に初期化する。処理が完了すれば、ステップＳ４１１へ進む。
【００４１】
出力信号がＬｏｗであれば、ステップＳ４０８へ進む。ステップＳ４０８では、システム制御部５０はタッチ入力が無効なモードに設定し、タッチ入力があった場合においてもタッチ入力を無効とし処理が行われないように制御を行う。処理が完了すれば、ステップＳ４０９へ進む。ステップＳ４０９では、システム制御部５０はＨｉカウンタを０に初期化する。処理が完了すれば、ステップＳ４１０へ進む。ステップＳ４１０では、システム制御部５０はＬｏｗカウンタをインクリメントする。処理が完了すれば、ステップＳ４１１へ進む。
【００４２】
ステップＳ４１１では、システム制御部５０はＨｉカウンタが第１閾値Ｔｈ１以上であるかを判断する。例えば、ステップＳ４０３の出力信号の取得が時間ｔ毎に実行されると仮定した場合、Ｈｉカウンタが第１閾値Ｔｈ１以上であるということは、出力信号がＨｉの状態が時間（Ｔｈ１×ｔ）以上経過したことと等価である。それゆえ、システム制御部５０はＨｉカウンタが第１閾値以上であれば、スイッチがチャタリング状態ではなく、バリアングルモニタ部１０２が開状態で安定していると判断する。ステップＳ４１２では、システム制御部５０は表示部２８を制御し、表示部２８の出力をＯＮにする。処理が完了すれば、ステップＳ４１３へ進む。
【００４３】
ステップＳ４１３では、システム制御部５０はＬｏｗカウンタが第２閾値Ｔｈ２以上であるかを判断する。例えば、ステップＳ４０３の出力信号の取得が時間ｔ毎に実行されると仮定した場合、Ｌｏｗカウンタが第２閾値Ｔｈ２以上であるということは、出力信号がＬｏｗの状態が時間（Ｔｈ２×ｔ）以上経過したことと等価である。それゆえ、システム制御部５０はＬｏｗカウンタが第２閾値以上であれば、スイッチがチャタリング状態ではなく、バリアングルモニタ部１０２が閉状態で安定していると判断する。ステップＳ４１４では、システム制御部５０は表示部２８を制御し、表示部２８の出力をＯＦＦにする。処理が完了すれば終了となる。
【００４４】
（閉状態から開状態への遷移時の制御）
図５は、デジタルビデオカメラ１００のバリアングルモニタ部１０２を、閉状態から開状態へ遷移した場合の、表示部２８の表示／非表示制御、および、タッチパネル７１のタッチ操作の有効／無効制御のタイミングを模式的に示した図である。
【００４５】
符号５０３は、バリアングルモニタ部１０２が閉状態から開状態へ遷移した場合に、角度検出部４０から出力される信号（つまりスイッチの状態）の変化を示す。バリアングルモニタ部１０２が閉位置にある場合、出力信号はＬｏｗレベルとなり、開位置にある場合、出力信号はＨｉレベルとなる。本実施例の角度検出部４０はスイッチであるため、閉状態から開状態への変化の過程にて符号５０９に示すようにチャタリングが発生する。
【００４６】
符号５０４は、表示部２８の出力のＯＮ／ＯＦＦ状態の変化を示している。システム制
御部５０は、角度検出部４０の出力信号がＨｉであれば、表示出力をＯＮ、出力信号がＬｏｗであれば、表示出力をＯＦＦとする。ただし、閉状態から開状態への遷移時にチャタリング５０９が発生するため、システム制御部５０は、出力信号がＬｏｗからＨｉになっても直ぐには表示出力をＯＮにせず、Ｈｉの状態が第２期間５０６以上経過した後に表示出力をＯＮに切り替える。このような制御により、白矢印で示す期間５０７のあいだ表示出力はＯＦＦのまま維持される。この期間５０７が、いわゆるチャタどり期間（チャタリング対策期間）である。チャタどり期間５０７を設けるのは、スイッチのチャタリングの影響で表示出力のＯＮ、ＯＦＦが素早く切り替わり表示品位が低下することを防ぐためである。
【００４７】
符号５０５は、タッチパネル７１のタッチ入力の有効／無効の変化を示している。システム制御部５０は、表示部２８のＯＮ／ＯＦＦの切り替えに合わせて、タッチパネル７１のタッチ入力の有効／無効を切り替える。すなわち、システム制御部５０は、出力信号がＨｉの状態が第２期間５０６以上経過した後にタッチ入力を有効化する。バリアングルモニタ部１０２を開く際には、タッチパネル７１と筐体の近接によるタッチ入力の誤検出は発生しないため、表示部２８の表示／非表示の切り替えとタッチ操作の有効／無効の切り替えのタイミングを同期させる。
【００４８】
図６は、デジタルビデオカメラ１００のバリアングルモニタ部１０２を、閉状態から開状態へ遷移した場合の、表示部２８の表示／非表示制御、および、タッチパネル７１のタッチ操作の有効／無効制御のフローチャートである。デジタルビデオカメラ１００の表示部２８が非表示状態であり、かつ、タッチパネル７１へのタッチ操作が無効である状態で、図６の処理が開始される。
【００４９】
ステップＳ６０１では、システム制御部５０は表示部２８の出力のＯＮ制御、および、タッチ入力有効を管理するためのＨｉカウンタ（開信号カウンタ）を０に初期化する。処理が完了すればステップＳ６０２へ進む。ステップＳ６０２では、システム制御部５０は表示部２８の出力のＯＦＦ制御、および、タッチ入力無効を管理するためのＬｏｗカウンタ（閉信号カウンタ）を０に初期化する。処理が完了すればステップＳ６０３へ進む。
【００５０】
ステップＳ６０３では、システム制御部５０は角度検出部４０から出力される信号を取得する。処理が完了すればステップＳ６０４へ進む。ステップＳ６０４では、システム制御部５０はステップＳ６０３で取得した出力信号がＨｉであるかＬｏｗであるかを判断する。
【００５１】
出力信号がＨｉであれば、システム制御部５０はバリアングルモニタ部１０２が開状態と判断し、ステップＳ６０５へ進む。ステップＳ６０５では、システム制御部５０はＨｉカウンタをインクリメントする。ステップＳ６０６では、システム制御部５０はＬｏｗカウンタを０に初期化する。処理が完了すれば、ステップＳ６０９へ進む。
【００５２】
出力信号がＬｏｗであれば、ステップＳ６０７へ進む。ステップＳ６０７では、システム制御部５０はＨｉカウンタを０に初期化する。ステップＳ６０８では、システム制御部５０はＬｏｗカウンタをインクリメントする。処理が完了すれば、ステップＳ６０９へ進む。
【００５３】
ステップＳ６０９では、システム制御部５０はＨｉカウンタが第３閾値Ｔｈ３以上であるかを判断する。例えば、ステップＳ６０３の出力信号の取得が時間ｔ毎に実行されると仮定した場合、Ｈｉカウンタが第３閾値Ｔｈ３以上であるということは、出力信号がＨｉの状態が時間（Ｔｈ３×ｔ）以上経過したことと等価である。それゆえ、システム制御部５０はＨｉカウンタが第３閾値以上であれば、スイッチがチャタリング状態ではなく、バ
リアングルモニタ部１０２が開状態で安定していると判断する。ステップＳ６１０では、システム制御部５０は表示部２８を制御し、表示部２８の出力をＯＮにする。また、ステップＳ６１１では、システム制御部５０はタッチ入力が有効なモードに設定し、タッチ入力があった場合に、タッチ入力に応じた処理を行う。処理が完了すれば、ステップＳ６１２へ進む。
【００５４】
ステップＳ６１２では、システム制御部５０はＬｏｗカウンタが第４閾値Ｔｈ４以上であるかを判断する。例えば、ステップＳ６０３の出力信号の取得が時間ｔ毎に実行されると仮定した場合、Ｌｏｗカウンタが第４閾値Ｔｈ４以上であるということは、出力信号がＬｏｗの状態が時間（Ｔｈ４×ｔ）以上経過したことと等価である。それゆえ、システム制御部５０はＬｏｗカウンタが第４閾値以上であれば、スイッチがチャタリング状態ではなく、バリアングルモニタ部１０２が閉状態で安定していると判断する。ステップＳ６１３では、システム制御部５０は表示部２８を制御し、表示部２８の出力をＯＦＦにする。また、ステップＳ６１４では、システム制御部５０はタッチ入力が無効なモードに設定し、タッチ入力があった場合においてもタッチ入力を無効とし処理が行われないように制御を行う。処理が完了すれば終了となる。
【００５５】
（実施例１の利点）
上述したように、バリアングルモニタ部１０２が開状態から閉状態へ遷移する場合には、角度検出部４０の出力信号がＨｉ（開信号）からＬｏｗ（閉信号）に変化すると、直ちにタッチ操作が無効となる。したがって、タッチパネル７１が本体部１０１の筐体（あるいはその他の導電性部材）に近接したとしても、タッチ入力の誤検出やそれによる機器の誤動作が生じない。また、表示部２８の出力に関しては、出力信号がＨｉからＬｏｗに変化し、その後、Ｈｉになることなく所定の時間が経過した場合に、非表示状態に切り替える。したがって、チャタリングに起因する表示品位の低下を防止することができる。なお、上記実施形態で用いた第１閾値〜第４閾値のそれぞれの値は任意に設定でき、すべてを同じ値に設定してもよいし、すべてを異なる値に設定してもよい。
【００５６】
＜実施例２＞
次に、本発明の実施例２について説明する。上記実施例１では、開状態から閉状態への遷移時（図３、図４）と、閉状態から開状態への遷移時（図５、図６）とで、タッチ操作の有効／無効の制御を異ならせる処理を例示した。これに対し、実施例２では、表示部２８に表示されている画面が、タッチの開始（タッチダウン）に応じた機能の実行が可能な第１の画面か、タッチの開始に応じた機能の実行がされない第２の画面かで、タッチ操作の有効／無効の制御を異ならせる。例えば、タッチの開始に応じた機能の実行が可能な第１の画面が表示部２８に表示されている場合は、Ｌｏｗ信号（閉信号）を検知したら直ちにタッチ操作を無効化し、タッチ入力の誤検出を防ぐとよい。一方、タッチの開始に応じた機能の実行がされない第２の画面が表示部２８に表示されている場合は、チャタどり期間を設け、表示部２８のＯＮ／ＯＦＦとタッチ操作の有効／無効を同じタイミングで切り替えるとよい。
【００５７】
（表示画面例）
図７Ａおよび図７Ｂは、デジタルビデオカメラ１００の表示部２８に表示された画面の例を示す。
【００５８】
図７Ａの画面７０１は、デジタルビデオカメラ１００の撮影モードで表示される画面であり、タッチボタンとして、動画記録を開始、終了するためのＲＥＣボタン７０３と、ズーム操作を行うズームボタン７０４を備えている。システム制御部５０はＲＥＣボタン７０３に対してタッチダウンされたことを検出すると動画記録制御を行い、また、ズームボタン７０４に対してダッチダウンされたことを検出するとズーム制御を行う。画面７０１
は、タッチの開始に応じた機能の実行が可能な第１の画面の一例である。
【００５９】
図７Ｂの画面７０２は、デジタルビデオカメラ１００のメニュー設定画面の１つであり、記録フォーマットを選択する画面である。画面７０２は、タッチボタンとして、画面を閉じるための閉じるボタン７０５と、記録設定値の１つであるＭＰ４設定値ボタンなどを備えている。システム制御部５０は、閉じるボタン７０５に対してタッチアップされたことを検出すると画面を閉じる制御を行い、また、ＭＰ４設定値ボタンに対してタッチアップされたことを検出すると、記録フォーマットの設定値としてＭＰ４を設定する。画面７０２は、タッチの開始に応じた機能の実行がされない第２の画面の一例である。
【００６０】
（表示出力およびタッチ操作の制御）
図８は、デジタルビデオカメラ１００の表示部２８に表示されている画面に応じた、表示部２８の表示／非表示制御、および、タッチパネル７１のタッチ操作の有効／無効制御のフローチャートである。
【００６１】
ステップＳ８０１では、システム制御部５０はＨｉカウンタを０に初期化する。処理が完了すればステップＳ８０２へ進む。ステップＳ８０２では、システム制御部５０はＬｏｗカウンタを０に初期化する。処理が完了すればステップＳ８０３へ進む。
【００６２】
ステップＳ８０３では、システム制御部５０は表示部２８に表示されている画面にタッチダウンで機能を実行するタッチボタンが表示されているかどうかを判断する。表示されていると判断した場合には、ステップＳ８０４へ進む。表示されていないと判断した場合には、ステップＳ８０５へ進む。
【００６３】
ステップＳ８０４では、図４のステップＳ４０３〜Ｓ４１４と同じ処理が実行される。また、ステップＳ８０５では、図６のステップＳ６０３〜Ｓ６１４と同じ処理が実行される。処理が完了すると、ステップＳ８０６へ進む。
【００６４】
ステップＳ８０６では、システム制御部５０は、電源スイッチ７２が操作され電源ＯＦＦが実行されたかどうかを判断する。電源ＯＦＦされたと判断した場合には処理は終了となる。電源ＯＦＦが実行されていないと判断した場合にはステップＳ８０３へ進む。
【００６５】
（実施例２の利点）
上述したように、タッチダウンで機能を実行するボタンが画面に表示されている場合には、角度検出部４０の出力信号がＨｉ（開信号）からＬｏｗ（閉信号）に変化すると、直ちにタッチ操作が無効となる。したがって、タッチパネル７１が本体部１０１の筐体（あるいはその他の導電性部材）に近接したとしても、タッチ入力の誤検出やそれによる機器の誤動作が生じない。
【００６６】
＜その他＞
なお、システム制御部５０が行うものとして説明した上述の各種制御は１つのハードウェアが行ってもよいし、複数のハードウェア（例えば、複数のプロセッサーや回路）が処理を分担することで、装置全体の制御を行ってもよい。
【００６７】
また、本発明をその好適な実施例に基づいて詳述してきたが、本発明はこれら特定の実施例に限られるものではなく、この発明の要旨を逸脱しない範囲の様々な形態も本発明に含まれる。さらに、上述した各実施例は本発明の一具体例を示すものにすぎず、各実施例を適宜組み合わせることも可能である。
【００６８】
また、上記実施例においては、本発明をデジタルビデオカメラに適用した場合を例にし
て説明したが、この例に限定されず、本発明は装置本体に対して開閉自在な構造をもつ表示操作パネルを有する電子機器であれば適用可能である。すなわち、本発明はノートＰＣ、ＰＤＡ、携帯電話端末、スマートフォン、タブレット、携帯型の画像ビューワ、ディスプレイを備えるプリンタ装置、デジタルフォトフレーム、音楽プレーヤー、ゲーム機、電子ブックリーダーなどに適用可能である。
【００６９】
本発明は、以下の処理を実行することによっても実現される。即ち、上述した実施例の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【符号の説明】
【００７０】
２８：表示部
４０：角度検出部
５０：システム制御部
７１：タッチパネル
１００：デジタルビデオカメラ
１０１：本体部
１０２：バリアングルモニタ部
１０４：表示操作パネル
【図１】
2019046146.tif 000003
【図２】
2019046146.tif 000004
【図３】
2019046146.tif 000005
【図４】
2019046146.tif 000006
【図５】
2019046146.tif 000007
【図６】
2019046146.tif 000008
【図７】
2019046146.tif 000009
【図８】
2019046146.tif 000010